(57)【要約】【課題】故人の家族、友人等の関係者が故人の遺言メッセージから関係者の好みに応じて選択することができ、また、遺族に対する寄付のインセンティブを得ることを可能にする。【解決手段】ユーザテーブルのユーザの連絡先のうち少なくとも一部のユーザの連絡先に、コンテンツ生成装置へアクセスするためのリンク情報を含む案内コンテンツを送信する案内送信部と、コンテンツ生成装置にアクセスした情報処理装置に対して、コンテンツデータの少なくとも一部を提示するコンテンツ提示部と、提示されたコンテンツデータに対する情報処理装置からの選択指示を受け入れる選択指示入力部と、選択指示に係るコンテンツデータをまとめたコンテンツデータ選択体を情報処理装置毎に生成する選択体生成部と、コンテンツデータ選択体に対する金銭的価値を付与し、情報処理装置に対して金銭的価値を提示する金銭的価値付与部とを設けた。【選択図】図４
2016128964.tif 000002
【特許請求の範囲】
【請求項１】
通信手段を介して接続された情報処理装置に対してコンテンツデータを提供するコンテンツ生成装置において、
単一の特定ユーザにより作成された前記コンテンツデータと、前記特定ユーザと異なる複数の前記情報処理装置のユーザの連絡先を少なくとも含むユーザテーブルとが格納された記憶部と、
案内送付指示を受け入れたら、前記ユーザテーブルに基づいて、このユーザテーブルに格納されている複数の前記情報処理装置の前記ユーザの連絡先のうち少なくとも一部の前記ユーザの連絡先に、前記情報処理装置を用いて前記コンテンツ生成装置へアクセスするためのリンク情報を含む案内コンテンツを送信する案内送信部と、
前記リンク情報を用いて前記コンテンツ生成装置にアクセスした前記情報処理装置に対して、前記コンテンツデータの少なくとも一部を提示するコンテンツ提示部と、
前記コンテンツ提示部により提示された前記コンテンツデータに対する、前記情報処理装置からの選択指示を受け入れる選択指示入力部と、
前記選択指示入力部が受け入れた前記選択指示に係る前記コンテンツデータをまとめたコンテンツデータ選択体を前記情報処理装置毎に生成する選択体生成部と、
前記選択指示に係る前記コンテンツデータに応じて前記コンテンツデータ選択体に対する金銭的価値を付与し、前記選択指示を送出した前記情報処理装置に対して前記金銭的価値を提示する金銭的価値付与部と、
前記金銭的価値付与部が提示した前記金銭的価値に基づく前記情報処理装置からの決済指示を受け入れ、前記決済指示に係る前記金銭的価値の決済を決済サーバに指示する決済指示部と
を備えることを特徴とするコンテンツ生成装置。
【請求項２】
前記コンテンツ提示部により提示された前記コンテンツデータに関連する、前記特定ユーザと異なる複数のユーザの前記情報処理装置からの前記追加コンテンツデータを受け入れ、前記追加コンテンツデータを前記コンテンツデータに関連付けた状態で前記記憶部に格納する追加コンテンツ入力部を備え、
前記コンテンツ提示部は、前記追加コンテンツデータの少なくとも一部を提示し、
前記選択指示入力部は、前記コンテンツ提示部により提示された前記追加コンテンツデータに対する、前記情報処理装置からの選択指示を受け入れ、
前記選択体生成部は、前記選択指示入力部が受け入れた前記選択指示に係る前記追加コンテンツデータを含む前記コンテンツデータ選択体を生成する
ことを特徴とする請求項１記載のコンテンツ生成装置。
【請求項３】
前記選択体生成部は、前記決済指示部による決済指示が終了したら、前記コンテンツデータ選択体を生成する
ことを特徴とする請求項１または２記載のコンテンツ生成装置。
【請求項４】
前記コンテンツ提示部は、前記ユーザテーブルに基づいて、前記コンテンツデータ及び前記追加コンテンツデータの少なくとも一部を提示する前記情報処理装置を選定することを特徴とする請求項１〜３のいずれかに記載のコンテンツ生成装置。
【請求項５】
前記コンテンツ提示部は、前記ユーザテーブルに基づいて、前記コンテンツデータ及び前記追加コンテンツデータの少なくとも一方のそれぞれにこれらコンテンツデータ及び追加コンテンツデータを提示する前記情報処理装置を選定することを特徴とする請求項４記載のコンテンツ生成装置。
【発明の詳細な説明】
【技術分野】
【０００１】
本発明は、通信手段を介して接続された情報処理装置に対して遺言メッセージ等のコンテンツデータを提供するコンテンツ生成装置に関する。
【背景技術】
【０００２】
近年、いわゆる団塊の世代と呼ばれる人々が企業の定年を迎え、高齢化社会への移行がさらに加速度を増すと考えられている。こういった背景の元、「終活」と呼ばれる、葬儀や墓など、「死」という自分の人生の終焉に向かっての準備活動を生前に行う動きが活発になっている。さらに、「終活」として、人生の終焉を迎えるまで、それまでの自分の人生を振り返り、「自分らしく生きる」「自分らしいエンディングを迎える」という観点から、従来行われていた葬式などの行事や遺言を見直し、「自分らしい」葬儀、「自分らしい」遺言等を目指す動きも出ている。
【０００３】
一例として、生前に遺族となる家族に対して、自分自身の嗜好やメッセージを表現するにふさわしい葬儀の運営方法を指示する、また、自分の人生を振り返った時の思い出をメッセージとして残し、このメッセージを遺言として残す、といった動きが出てきている。このように、従来、慣習や宗教的取り決めにより定められてきた、葬儀、香典、香典返しなどの贈答品を含む、人の死亡にかかわる行事一式を「自分らしい」という観点から見直す動きが出つつある。
【０００４】
新しい形での、人の死亡に関わる行事一式を行うという観点の一例として、生前、故人が書き残した、法律的な遺言を含む家族、知人に当てたメッセージ（以下、本明細書において「遺言メッセージ」と称する）を、死亡判定の後に家族や知人に配信するシステムが提案されている（例えば特許文献１参照）。
【先行技術文献】
【特許文献】
【０００５】
【特許文献１】特許５２８５８００号公報
【発明の概要】
【発明が解決しようとする課題】
【０００６】
しかしながら、上述した従来のメッセージ配信システムでは、故人が作成した遺言メッセージは故人が意図した相手に対して意図した内容でのみ配信されており、故人を偲ぶ家族、友人はこのメッセージをそのまま受け取るのみであった。
【０００７】
また、葬儀を含む、従来の人間の死亡に起因する行事において、故人の家族、友人等の関係者は、葬儀に参列等をする際にのみ香典という形で金銭を遺族に寄付し、その見返りとして香典返しという形で贈答品を受け取るのみであり、関係者にとって香典を寄付するインセンティブに欠ける可能性があった。
【０００８】
本発明は、上述した課題に鑑みてなされたものであり、故人の家族、友人等の関係者が、故人の遺言メッセージから関係者の好みに応じたコンテンツを生成することができ、また、遺族に対する寄付のインセンティブを得ることの可能なコンテンツ生成装置の提供をその目的の一つとしている。
【課題を解決するための手段】
【０００９】
本発明は、通信手段を介して接続された情報処理装置に対してコンテンツデータを提供するコンテンツ生成装置に適用される。そして、単一の特定ユーザにより作成されたコンテンツデータと、特定ユーザと異なる複数の情報処理装置のユーザの連絡先を少なくとも含むユーザテーブルとが格納された記憶部と、案内送付指示を受け入れたら、ユーザテーブルに基づいて、このユーザテーブルに格納されている複数の情報処理装置のユーザの連絡先のうち少なくとも一部のユーザの連絡先に、情報処理装置を用いてコンテンツ生成装置へアクセスするためのリンク情報を含む案内コンテンツを送信する案内送信部と、リンク情報を用いてコンテンツ生成装置にアクセスした情報処理装置に対して、コンテンツデータの少なくとも一部を提示するコンテンツ提示部と、コンテンツ提示部により提示されたコンテンツデータに対する、情報処理装置からの選択指示を受け入れる選択指示入力部と、選択指示入力部が受け入れた選択指示に係るコンテンツデータをまとめたコンテンツデータ選択体を情報処理装置毎に生成する選択体生成部と、選択指示に係るコンテンツデータに応じてコンテンツデータ選択体に対する金銭的価値を付与し、選択指示を送出した情報処理装置に対して金銭的価値を提示する金銭的価値付与部と、金銭的価値付与部が提示した金銭的価値に基づく情報処理装置からの決済指示を受け入れ、決済指示に係る金銭的価値の決済を決済サーバに指示する決済指示部とを設けることで、上述した課題の少なくとも一つを解決している。
【００１０】
ここで、コンテンツ提示部により提示されたコンテンツデータに関連する、特定ユーザと異なる複数のユーザの情報処理装置からの追加コンテンツデータを受け入れ、追加コンテンツデータをコンテンツデータに関連付けた状態で記憶部に格納する追加コンテンツ入力部を設けることが好ましく、この場合、コンテンツ提示部は、追加コンテンツデータの少なくとも一部を提示し、選択指示入力部は、コンテンツ提示部により提示された追加コンテンツデータに対する、情報処理装置からの選択指示を受け入れ、選択体生成部は、選択指示入力部が受け入れた選択指示に係る追加コンテンツデータを含むコンテンツデータ選択体を生成することが好ましい。
【００１１】
また、選択体生成部は、決済指示部による決済指示が終了したら、コンテンツデータ選択体を生成することが好ましい。
【００１２】
さらに、コンテンツ提示部は、ユーザテーブルに基づいて、コンテンツデータ及び追加コンテンツデータの少なくとも一部を提示する情報処理装置を選定することが好ましい。
【００１３】
加えて、コンテンツ提示部は、ユーザテーブルに基づいて、コンテンツデータ及び追加コンテンツデータの少なくとも一方のそれぞれにこれらコンテンツデータ及び追加コンテンツデータを提示する情報処理装置を選定することが好ましい。
【発明の効果】
【００１４】
本発明によれば、故人の家族、友人等の関係者が、故人の遺言メッセージであるコンテンツデータから関係者の好みに応じて選択することができ、また、遺族に対する寄付のインセンティブを得ることの可能なコンテンツ生成装置を実現することができる。
【図面の簡単な説明】
【００１５】
【図１】本発明の一実施形態であるコンテンツ生成システムの概略構成を示す図である。
【図２】一実施形態のコンテンツ生成システムを構成するコンテンツ生成装置の概略構成を示すブロック図である。
【図３】一実施形態のコンテンツ生成システムを構成する情報処理装置の概略構成を示すブロック図である。
【図４】一実施形態のコンテンツ生成システムの機能構成を示す機能ブロック図である。
【図５】一実施形態のコンテンツ生成装置の制御部の機能構成を示す機能ブロック図である。
【図６】一実施形態のコンテンツ生成装置の記憶部に格納されているデータの構成を示すブロック図である。
【図７】一実施形態のコンテンツ生成装置の記憶部に格納されているテーブルの内容の一例を示す図である。
【図８】一実施形態のコンテンツ生成装置の動作の一例を示すフローチャートである。
【図９】一実施形態のコンテンツ生成装置の動作の一例を示すフローチャートである。
【図１０】一実施形態のコンテンツ生成装置の動作の一例を示すフローチャートである。
【図１１】一実施形態のコンテンツ生成装置の動作の一例を示すフローチャートである。
【図１２】一実施形態のコンテンツ生成装置の動作の一例を示すフローチャートである。
【図１３】一実施形態のコンテンツ生成情報処理装置に表示される表示画面の一例を示す図である。
【図１４】一実施形態のコンテンツ生成情報処理装置に表示される表示画面の一例を示す図である。
【図１５】一実施形態のコンテンツ生成情報処理装置に表示される表示画面の一例を示す図である。
【図１６】一実施形態のコンテンツ生成情報処理装置に表示される表示画面の一例を示す図である。
【図１７】一実施形態のコンテンツ生成情報処理装置に表示される表示画面の一例を示す図である。
【発明を実施するための形態】
【００１６】
以下、図面を参照して、本発明の実施形態について説明する。
（一実施形態）
図１は、本発明の一実施形態であるコンテンツ生成システムの概略を示す図である。この図において、一実施形態のコンテンツ生成システムＳは、コンテンツ生成装置１及び情報処理装置２を備える。
コンテンツ生成装置１はインターネット３に接続されており、このインターネット３を介して情報処理装置２と通信可能であるとともに、インターネット３、移動体通信網４を介しても情報処理装置２と通信可能である。
【００１７】
本実施形態における情報処理装置２は、ＰＣ（Personal Computer）やスマートフォン等、インターネット３に接続可能な構成を備え、このインターネット３との間で、さらに必要であれば移動体通信網４を介してインターネット３との間で情報の送受信が可能である。情報処理装置２は、必要に応じて、ルータ５を介してインターネット３に接続される。
また、このインターネット３には、銀行等の決済機関が備える決済用サーバ６も接続されている。本実施形態では、決済用サーバ６は、コンテンツ生成装置１を含む外部装置からの指示に基づいて金銭的決済を行う。
【００１８】
（一実施形態のコンテンツ生成装置の構成）
図２は、一実施形態のコンテンツ生成システムＳを構成するコンテンツ生成装置１の概略構成を示すブロック図である。図２において、コンテンツ生成装置１は、ＣＰＵ（Central Processing Unit）１０、ＲＯＭ（Read Only Memory）１１、ＲＡＭ（Random Access Memory）１２、ＨＤＤ（Hard Disk Drive）部１３及び有線ＬＡＮ（Local Area Network）インタフェース（Ｉ／Ｆ）１４を備え、ＣＰＵ１０、ＲＯＭ１１、ＲＡＭ１２、ＨＤＤ部１３及び有線ＬＡＮインタフェース１４はそれぞれ共通のバスにより接続されている。
【００１９】
ＣＰＵ１０は、ＲＯＭ１１内に格納されたファームウェア等のプログラムがＲＡＭ１２において展開された後で実行されることで、コンテンツ生成装置１全体の動作制御を行う。また、ＣＰＵ１０は、ＲＯＭ１１内に格納されたプログラムが実行されることにより、図４に示すような各機能部としても動作する。図４に示す各機能部の動作については後述する。ＲＯＭ１１には、上述のファームウェア等のプログラムや、各種設定データが格納されている。ＲＡＭ１２は、コンテンツ生成装置１のワークメモリとして動作し、各種プログラム及びデータが一時的に格納される。
【００２０】
ＨＤＤ部１３は、ＨＤＤ１３１とＨＤＤインタフェース（Ｉ／Ｆ）１３０とを備える。ＨＤＤ１３１は、記録媒体であるディスクと、このディスクの回転を行う回転部と、ディスクに対してデータの読み出し／書き込みを行うヘッド部とを備える（いずれも不図示）。ＨＤＤ１３１には、各種プログラム及びデータが格納される。ＨＤＤインタフェース１３０は、このＨＤＤ１３１に対するデータの読み出し／書き込み指令があった場合に、ＨＤＤ１３１全体の制御を行うとともに、データの読み出し／書き込み制御を行い、読み出されたデータを出力する。
【００２１】
有線ＬＡＮインタフェース１４はネットワークポート（図略）を備え、このネットワークポートにネットワークケーブル（図略）が挿入され、ネットワークケーブルを介してインターネット３に接続されることで、外部ネットワークとの間でデータの送受信がされる。この有線ＬＡＮインタフェース１４は、例えばＩＥＥＥ（The Institute of Electrical and Electronics Engineers）８０２．３規格に基づく有線通信を行うものである。
【００２２】
（一実施形態の情報処理装置の構成）
図３は、本発明の一実施形態であるコンテンツ生成システムＳを構成する情報処理装置２の概略構成を示すブロック図である。図３において、本実施形態の情報処理装置２は、ＣＰＵ２０、ＲＯＭ２１、ＲＡＭ２２、内部ストレージ部２３、入力インタフェース（Ｉ／Ｆ）２４、表示出力インタフェース（Ｉ／Ｆ）２５及び有線ＬＡＮインタフェース（Ｉ／Ｆ）２６を備えており、これらＣＰＵ２０、ＲＯＭ２１、ＲＡＭ２２、内部ストレージ部２３、入力インタフェース２４、表示出力インタフェース２５及び有線ＬＡＮインタフェース（Ｉ／Ｆ）２６はバスにより互いに接続されている。
【００２３】
ＣＰＵ２０は、ＲＯＭ２１内に格納されたファームウェア等のプログラムがＲＡＭ２２において展開された後で実行されることにより、情報処理装置２全体の制御を行う。また、ＣＰＵ２０は、ＲＯＭ２１内に格納されたプログラムが実行されることにより、図４に示す各機能部としても動作する。図４に示す各機能部の動作については後述する。ＲＯＭ２１には、上述したファームウェア等のプログラムが格納されている。ＲＡＭ２２は情報処理装置２のワークメモリとして機能し、各種プログラム及びデータが一時的に格納される。
【００２４】
内部ストレージ部２３は、内部ストレージ２３１と内部ストレージインタフェース（Ｉ／Ｆ）２３０とを備える。内部ストレージ２３１は、例えばフラッシュメモリのような不揮発性半導体メモリやＨＤＤのような記憶媒体であり、情報処理装置２において用いられるアプリケーションプログラムやその他のソフトウェア等が格納される。内部ストレージインタフェース２３０は、この内部ストレージ２３１に対するデータの読み出し／書き込み指令があった場合に、内部ストレージ２３１全体の制御を行うとともに、データの読み出し／書き込み制御を行い、読み出されたデータを出力する。なお、内部ストレージ２３１は、例えばｍｉｃｒｏＳＤのような挿脱可能な不揮発性メモリーカードであってもよく、この場合、内部ストレージインタフェース２３０は、このメモリーカードが装着されるメモリカードスロットをさらに備える。
【００２５】
入力インタフェース２４には入力指示装置７が接続され、ユーザが入力指示装置７を操作することにより入力される入力信号を受信する。入力指示装置７は、ユーザにより操作される操作位置に対応する複数の操作部７ａを備え、入力指示装置７は、ユーザにより少なくとも一つの操作部７ａが操作されると、操作された操作部７ａに対応する入力信号を出力する。入力指示装置７としては、例えばリモコン、キーボード、マウス等が挙げられ、操作部７ａとしては、これらリモコン等に備えられたボタン等が挙げられる。
【００２６】
表示出力インタフェース２５は表示出力用ポート（図略）を備え、この表示出力用ポートにケーブルを介して接続された表示装置８に対して映像信号及び音声信号を出力する。表示装置８は、例えばＴＶ、モニタである。
【００２７】
有線ＬＡＮインタフェース２６はネットワークポート（図略）を備え、このネットワークポートにネットワークケーブル（図略）が挿入され、ネットワークケーブルを介してインターネット３に接続されることで、外部ネットワークとの間でデータの送受信がされる。この有線ＬＡＮインタフェース２６は、例えばＩＥＥＥ８０２．３規格に基づく有線通信を行うものである。
【００２８】
（一実施形態のコンテンツ生成システムの機能構成）
図４は、一実施形態のコンテンツ生成システムＳの機能構成を示す機能ブロック図である。図４において、本実施形態のコンテンツ生成システムＳを構成するコンテンツ生成装置１は、制御部３０、記憶部３１及び通信部３２を備える。制御部３０は、コンテンツ生成装置１全体の制御を行うとともに、図５に示すように、Ｗｅｂサーバ部３３、コンテンツ入力部３４、追加コンテンツ入力部３５、案内送信部３６、コンテンツ提示部３７、選択指示入力部３８、選択体生成部３９、金銭的価値付与部４０及び決済指示部４１を備える。
【００２９】
Ｗｅｂサーバ部３３は、情報処理装置２で動作するＷｅｂブラウザからのアクセス入力信号に応答して、このアクセス入力信号に対応し、Ｗｅｂブラウザ上で表示可能な形式の出力信号を出力する。これらアクセス入力信号及び出力信号は、後述する通信部３２を介して入出力される。
【００３０】
コンテンツ入力部３４は、情報処理装置２からのコンテンツデータ４２（図６参照）の入力を受け入れ、このコンテンツデータ４２を記憶部３１に格納する。このコンテンツデータ４２の入力は通信部３２を介して行われ、好ましくはＷｅｂサーバ部３３が出力する出力信号に基づいて情報処理装置２等のＷｅｂブラウザにより表示される、コンテンツデータ入力画面を介して行われる。この場合、コンテンツデータ４２はＷｅｂサーバ部３３を介してコンテンツ入力部３４により受け入れられる。好ましくは、コンテンツ入力部３４は、コンテンツデータ４２を記憶部３１に格納する際に、このコンテンツデータ４２に関連付けられた付加情報をコンテンツテーブル４４（図６参照）に格納する。
【００３１】
追加コンテンツ入力部３５は、後述するコンテンツ提示部３７により提示されたコンテンツデータ４２に関連する、情報処理装置２からの追加コンテンツデータ４３（図６参照）を受け入れ、この追加コンテンツデータ４３をコンテンツデータ４２に関連付けた状態で記憶部３１に格納する。好ましくは、追加コンテンツ入力部３５は、追加コンテンツデータ４３を記憶部３１に格納する際に、この追加コンテンツデータ４３に関連付けられた付加情報、及びコンテンツデータ４２との関連付け情報をコンテンツテーブル４４（図６参照）に格納する。
【００３２】
案内送信部３６は、通信部３２を介して情報処理装置２等から案内送付指示を受け入れたら、記憶部３１に格納されたユーザテーブル４５（図６参照）に基づいて、このユーザテーブル４５に格納されている複数の情報処理装置２のユーザの連絡先のうち少なくとも一部のユーザの連絡先に、情報処理装置２を用いてコンテンツ生成装置１へアクセスするためのリンク情報を含む案内コンテンツを送信する。
【００３３】
一例として、案内送信部３６は、コンテンツデータ４３を作成したユーザの死亡判定を行い、このユーザの死亡判定が肯定された場合、ユーザテーブル４５に格納されているユーザのうち代表ユーザを選定し、この代表ユーザに対して案内送付指示を問い合わせるメールを送信し、この代表ユーザが情報処理装置２を用いて案内送付指示を送信するのを待つ。そして、代表ユーザが情報処理装置２を用いてコンテンツ生成装置１へ案内送付指示を送信したら、案内送信部３６は通信部３２を介してこの案内送付指示を受け入れ、記憶部３１に格納されたユーザテーブル４５に基づいて、このユーザテーブル４５に格納されている複数のユーザの連絡先のうち少なくとも一部のユーザの連絡先に、情報処理装置２を用いてコンテンツ生成装置１へアクセスするためのリンク情報を含む案内コンテンツを送信する。案内送信部３６の動作の詳細については、図９及び図１０のフローチャートを参照して後述する。
【００３４】
コンテンツ提示部３７は、案内送信部３６が送信したリンク情報を用いてコンテンツ生成装置１にアクセスした情報処理装置２に対して、コンテンツデータ４２の少なくとも一部を提示する。コンテンツ提示部３７による、情報処理装置２へのコンテンツデータ４２の提示手法に限定はなく、コンテンツデータ４２の種類に応じて周知の提示手法が好適に採用可能である。
【００３５】
一例として、コンテンツデータ４２がテキストデータを含む場合は、このテキストデータを単純に表示する、あるいはテロップのように一定速度で一定方向に移動させる等の提示手法が一例として挙げられる。また、コンテンツデータ４２が静止画（写真）データを含む場合、この静止画データに基づく静止画像を表示する提示手法が、コンテンツデータ４２が動画（ビデオ）データを含む場合、この動画データに基づく動画像を再生する提示手法が好適に挙げられる。当然、コンテンツデータ４２を提示する際に、このコンテンツデータ４２の提示を美的に行うための追加的提示を行ってもよい。一例として、テキストデータの周囲を取り囲むフレーム画像や背景画像を同時に表示してもよい。
【００３６】
好ましくは、記憶部３１内に、追加コンテンツ入力部３５が受け入れた追加コンテンツデータ４３が格納されている場合、コンテンツ提示部３７は、追加コンテンツデータ４３の少なくとも一部を提示する。追加コンテンツデータ４３の提示手法も同様に限定はなく、追加コンテンツデータ４３の種類に応じて周知の提示手法が好適に採用可能である。
【００３７】
ここで、記憶部３１に、コンテンツ提示部３７がコンテンツデータ４２の少なくとも一部を提示する対象となる情報処理装置２を特定する情報処理装置特定情報であるユーザテーブル４５、好ましくはさらにコンテンツテーブル４４（図６参照）が格納されている場合、コンテンツ提示部３７は、このユーザテーブル４５、さらにはコンテンツテーブル４４に基づいて、コンテンツデータ４２の少なくとも一部を提示する情報処理装置２を選定することが好ましい。さらに、コンテンツテーブル４４がコンテンツデータ４２毎に設定されている場合、コンテンツ提示部３７は、このコンテンツテーブル４４に基づいて、コンテンツデータ４２毎にこのコンテンツデータを提示する情報処理装置２を選定することが好ましい。
【００３８】
選択指示入力部３８は、コンテンツ提示部３７により提示されたコンテンツデータ４２に対する、情報処理装置２からの選択指示を受け入れる。この選択指示の入力も通信部３２を介して行われ、好ましくはＷｅｂサーバ部３３が出力する出力信号に基づいて情報処理装置２等のＷｅｂブラウザにより表示される、選択指示入力画面を介して行われる。この場合、選択指示はＷｅｂサーバ部３３を介して選択指示入力部３８により受け入れられる。好ましくは、選択指示入力部３８は、情報処理装置２からのコンテンツデータ４２の選択指示を受け入れたら、この選択指示入力を選択指示テーブル４８（図６参照）に格納する。
【００３９】
ここで、コンテンツ提示部３７が追加コンテンツデータ４３の少なくとも一部を提示する場合、選択指示入力部３８は、コンテンツ提示部３７により提示された追加コンテンツデータ４３に対する、情報処理装置２からの選択指示も受け入れることが好ましい。さらに好ましくは、選択指示入力部３８は、情報処理装置２からの追加コンテンツデータ４３の選択指示を受け入れたら、この選択指示入力も選択指示テーブル４８（図６参照）に格納する。
【００４０】
選択体生成部３９は、選択指示入力部３８が受け入れた選択指示に係るコンテンツデータ４２をまとめたコンテンツデータ選択体４９（図６参照）を、情報処理装置２毎に生成する。選択体生成部３９が生成するコンテンツデータ選択体４９の具体的態様に限定はなく、選択指示に係るコンテンツデータ４２の種類に応じて周知の構成から好適に選択可能である。
【００４１】
一例として、選択指示に係るコンテンツデータ４２がテキストデータを含む場合は、このテキストデータをＷｅｂブラウザ上で表示したもの、あるいはテキストデータを印刷した印刷体等が一例として挙げられる。また、選択指示に係るコンテンツデータ４２が静止画（写真）データを含む場合、この静止画データに基づく静止画像を表示したもの、静止画像をアルバムとして印刷した印刷体、さらには静止画データが格納されたＤＶＤ等の記録媒体等が一例として挙げられる。さらに、コンテンツデータ４２が動画（ビデオ）データを含む場合、この動画データに基づく動画像を再生したもの、あるいは動画データが格納されたＤＶＤ等の記録媒体等が一例として挙げられる。当然、選択指示に係るコンテンツデータ４２をまとめたコンテンツデータ選択体４９には、選択指示に係るコンテンツデータ４２を美的に装飾するための追加コンテンツデータが含まれてもよい。一例として、テキストデータの周囲を取り囲むフレーム画像や背景画像がコンテンツデータ選択体４９に含まれてもよい。
【００４２】
ここで、選択指示入力部３８が追加コンテンツデータ４３に対する選択指示を受け入れた場合、選択体生成部３９は、選択指示入力部３８が受け入れた選択指示に係る追加コンテンツデータ４３を含むコンテンツデータ選択体４９を生成することが好ましい。追加コンテンツデータ４３を含むコンテンツデータ選択体４９の具体的態様も限定はなく、選択指示に係る追加コンテンツデータ４３の種類に応じて周知の構成から好適に選択可能である。
【００４３】
金銭的価値付与部４０は、情報処理装置２からの選択指示に係るコンテンツデータ４３に応じてコンテンツデータ選択体４９に対する金銭的価値を付与し、選択指示を送出した情報処理装置２に対して金銭的価値を提示する。好ましくは、金銭的価値付与部４０は、情報処理装置２に対して提示した金銭的価値を有する値の入力を受け入れる。金銭的価値付与部４０が受け入れた、所定の金銭的価値を有する値は、好ましくは金銭的価値付与部４０がユーザテーブル４５に格納する。
【００４４】
また、決済指示部４１は、金銭的価値付与部４０が提示した金銭的価値に基づく情報処理装置２からの決済指示を受け入れ、この決済指示に係る金銭的価値の決済を決済用サーバ６に対して指示する。
【００４５】
そして、選択体生成部３９は、決済指示部４１による決済指示が終了したら、コンテンツデータ選択体４９を生成することが好ましい。
【００４６】
次に、記憶部３１には、図６に示すように、コンテンツデータ４２、追加コンテンツデータ４３、コンテンツテーブル４４、ユーザテーブル４５、案内画面データ４６、入力画面データ４７、選択指示テーブル４８及びコンテンツデータ選択体４９が格納されている。
【００４７】
コンテンツデータ４２は、単一の特定ユーザにより作成されたものであり、コンテンツ入力部３４により受け入れられたものを含む。この、単一の特定ユーザが、図９のフローチャートで後述する、死亡判定の対象となるユーザである。コンテンツデータ４２の具体的態様に限定はなく、テキストデータ、静止画データ、動画データを含む周知のコンテンツデータが好適に適用可能である。なお、図６においてはコンテンツデータ４２を１つのみ図示しているが、複数のコンテンツデータ４２が記憶部３１に格納されていてもよい。
【００４８】
追加コンテンツデータ４３は、特定ユーザと異なる複数のユーザにより作成され、このユーザの情報処理装置２から送信されたものであり、コンテンツデータ４２と同様に、追加コンテンツ入力部３５により受け入れられたものを含む。追加コンテンツデータ４３の具体的態様も限定はなく、テキストデータ、静止画データ、動画データを含む周知のコンテンツデータが好適に適用可能である。なお、図６においては追加コンテンツデータ４３を１つのみ図示しているが、複数の追加コンテンツデータ４３が記憶部３１に格納されていてもよい。
【００４９】
コンテンツテーブル４４には、コンテンツ入力部３４及び追加コンテンツ入力部３５が受け入れたコンテンツデータ４２、追加コンテンツデータ４３の付加情報及び関連付け情報が格納されている。
【００５０】
コンテンツテーブル４４の一例を、図７（ａ）を参照して説明する。図７（ａ）に示すコンテンツテーブル４４は、コンテンツデータ４２及び追加コンテンツデータ４３を一意に示すコンテンツＩＤが格納されるＩＤ領域４４０、コンテンツデータ４２及び追加コンテンツデータ４３の内容を分類するためのカテゴリーデータが格納されるカテゴリー領域４４１、コンテンツデータ４２及び追加コンテンツデータ４３の種類を示すデータが格納される種類領域４４２、コンテンツデータ４２及び追加コンテンツデータ４３を作成したユーザＩＤが格納されるユーザＩＤ領域４４３、コンテンツ提示部３７がコンテンツデータ４２及び追加コンテンツデータ４３を提示する情報処理装置２の範囲である公開範囲のデータが格納される公開範囲領域４４４、及び追加コンテンツデータ４３が関連付けられるコンテンツデータ４２のコンテンツＩＤが格納されるリンク先ＩＤ領域４４５を備える。当然、コンテンツテーブル４４は、図７（ａ）に示す各領域のうち一部、あるいはこれら領域以外の領域を備えてもよい。
【００５１】
ユーザテーブル４５には、コンテンツ提示部３７がコンテンツデータ４２及び追加コンテンツデータ４３を提示する情報処理装置２、より詳細には情報処理装置２を使用するユーザを特定するためのデータが格納されている。
【００５２】
ユーザテーブル４５の一例を、図７（ｂ）を参照して説明する。図７（ｂ）に示すユーザテーブル４５は、情報処理装置２を使用するユーザを一意に特定するユーザＩＤが格納されるＩＤ領域４５０、ユーザの氏名データが格納される氏名領域４５１、ユーザの住所データが格納される住所領域４５２、ユーザの連絡先であるメールアドレスデータが格納される連絡先領域４５３、ユーザが属するカテゴリーデータが格納されるカテゴリー領域４５４、ユーザが設定したユーザ設定ＩＤデータが格納されるユーザＩＤ領域４５５及びユーザが設定したパスワードデータが格納されるパスワード領域４５６を備える。ここに、カテゴリー領域４５４に格納されるカテゴリーデータが、上述の公開範囲を示すデータに対応する。当然、ユーザテーブル４５は、図７（ｂ）に示す各領域のうち一部、あるいはこれら領域以外の領域を備えてもよい。図７（ｂ）に示す例では、筆頭のユーザＩＤ（ユーザＩＤが００１）を有するユーザが、コンテンツデータ４２を作成した特定のユーザである。
【００５３】
案内画面データ４６及び入力画面データ４７は、Ｗｅｂサーバ部３３が情報処理装置２のＷｅｂブラウザに画面を表示するために出力するデータの元となるデータである。特に、入力画面データ４７に基づいて情報処理装置２のＷｅｂブラウザに表示された入力画面に基づいて、コンテンツデータ４２及び追加コンテンツデータ４３が入力されて、コンテンツ入力部３４及び追加コンテンツ入力部３５により受け入れられる。案内画面データ４６及び入力画面データ４７の詳細については後述する。
【００５４】
選択指示テーブル４８には、選択指示入力部３８が受け入れた、コンテンツデータ４２及び追加コンテンツデータ４３の選択入力データが格納されている。
【００５５】
選択指示テーブル４８の一例を、図７（ｃ）を参照して説明する。図７（ｃ）に示す選択指示テーブル４８は、選択指示入力を一意に特定するための選択指示ＩＤデータが格納されるＩＤ領域４８０、及び選択指示に係るコンテンツデータ４２及び追加コンテンツデータ４３のＩＤが格納される選択コンテンツＩＤ領域４８１〜４８３を備える。当然、選択指示テーブル４８は、図７（ｃ）に示す各領域のうち一部、あるいはこれら領域以外の領域を備えてもよい。さらに、選択コンテンツＩＤ領域４８１〜４８３の数も図示例に限定されない。
【００５６】
コンテンツデータ選択体４９については既に説明しているので、ここではこれ以上の説明を行わない。
【００５７】
通信部３２は、インターネット３を介して情報処理装置２、決済用サーバ６を含む外部機器との間でデータの送受信を行う。
【００５８】
次に、本実施形態のコンテンツ生成システムＳを構成する情報処理装置２は、制御部５０、記憶部５１、入力部５２、出力部５３及び通信部５４を備える。制御部５０は、情報処理装置２全体の制御を行う。記憶部５１には、制御部５０により実行される、Ｗｅｂブラウザプログラムを含む各種コンピュータプログラム、及び制御部５０の動作の際に必要となる各種データが格納される。入力部５２は、ユーザが操作部７ａを操作することにより入力指示装置７から出力される入力信号を含む、外部入力機器から入力される各種入力信号を受け付け、受け付けた入力信号を制御部５０に入力し、必要に応じて制御部５０経由で記憶部５１に格納する。出力部５３は、制御部５０が生成し、または記憶部５１内に格納されている各種データを、表示装置８を含む外部出力機器に出力する。通信部５４は、インターネット３を介してコンテンツ生成装置１を含む外部機器との間でデータ通信を行う。
【００５９】
そして、決済用サーバ６は、制御部６０、記憶部６１及び通信部６２を備える。制御部６０は、決済用サーバ６全体の制御を行うとともに、決済部６３を備える。決済部６３は、コンテンツ生成装置１の決済指示部４１からの金銭的価値の決済の指示を受け入れ、決済処理を行う。決済部６３による決済処理の詳細については周知の構成が好適に採用可能であるので、ここではこれ以上の説明を行わない。記憶部６１には、制御部６０により実行される各種コンピュータプログラム、及び制御部６０の動作の際に必要となる各種データが格納される。通信部６２は、インターネット３を介してコンテンツ生成装置１、情報処理装置２を含む外部機器との間でデータの送受信を行う。
【００６０】
以上の構成において、制御部３０及び制御部３０を構成するＷｅｂサーバ部３３、コンテンツ入力部３４、追加コンテンツ入力部３５、案内送信部３６、コンテンツ提示部３７、選択指示入力部３８、選択体生成部３９、金銭的価値付与部４０及び決済指示部４１は主にＣＰＵ１０により構成され、記憶部３１は主にＲＯＭ１１、ＲＡＭ１２及びＨＤＤ部１３により構成され、通信部３２は主に有線ＬＡＮインタフェース１４により構成される。
【００６１】
また、制御部５０は主にＣＰＵ２０により構成され、記憶部５１は主にＲＯＭ２１、ＲＡＭ２２及び内部ストレージ部２３により構成され、入力部５２は主に入力インタフェース２４により構成され、出力部５３は主に表示出力インタフェース２５により構成され、そして、通信部５４は主に有線ＬＡＮインタフェース２６により構成される。図４〜図６に示す各機能部の動作については後に詳述する。
【００６２】
（一実施形態のコンテンツ生成システムの動作）
次に、図８〜図１２のフローチャート、及び図１３〜図１７を参照して、本実施形態のコンテンツ生成システムＳの動作を、主にコンテンツ生成装置１の動作を中心に説明する。
【００６３】
なお、以下のフローチャートで説明するコンテンツ生成装置１の動作において、ユーザテーブル４５のうち氏名領域４５１、住所領域４５２、連絡先領域４５３、カテゴリー領域４５４、ユーザＩＤ領域４５５及びパスワード領域４５７には、ユーザが情報処理装置２を用いてコンテンツ生成装置１のＷｅｂサーバ部３３にアクセスすることで、各々のユーザが所定のデータを入力しているものとする。あるいは、コンテンツ生成装置１の管理者が、予め入手したユーザリストに基づいて所定のデータを入力しているものとする。
【００６４】
図８は、コンテンツ生成装置１のコンテンツ入力部３４及び追加コンテンツ入力部３５によるコンテンツデータ４２及び追加コンテンツデータ４３の少なくとも一方の入力動作の概略を説明するフローチャートである。
【００６５】
まず、ステップＳ１では、情報処理装置２を操作するユーザの認証処理が行われる。より詳細には、情報処理装置２からコンテンツ生成装置１へのアクセスがあると、コンテンツ生成装置１のＷｅｂサーバ部３３は、情報処理装置２に対して、図１３（ａ）に示すような画面を表示させるための所定の出力データを情報処理装置２に送信する。そして、情報処理装置２の制御部５０は、出力部５３を介して表示装置８に所定の出力データを送出し、この表示装置８に図１３（ａ）に示すような画面を表示させる。
【００６６】
情報処理装置２のユーザは、入力指示装置７の操作部７ａを操作することで、図１３（ａ）に示す画面に表示されたＩＤ入力部７０及びパスワード入力部７１にそれぞれ、ユーザが予め定めたＩＤ及びパスワードをそれぞれ入力する。入力されたＩＤ及びパスワードは、情報処理装置２の通信部５４を介してコンテンツ生成装置１に送信され、コンテンツ生成装置１は、通信部３２及びＷｅｂサーバ部３３を介してこれらＩＤ及びパスワードを受け入れる。次いで、コンテンツ生成装置１の制御部３０は、受け入れたＩＤ及びパスワードを、記憶部３１に格納されたユーザテーブル４５のユーザＩＤ領域４５５及びパスワード領域４５６に記述されたユーザＩＤ及びパスワードと照合することで、ユーザの認証処理を行う。図８に示す例では、この認証処理が成功したものとする。
【００６７】
次いで、ステップＳ２では、コンテンツ生成装置１のＷｅｂサーバ部３３は、記憶部３１に格納されている入力画面データ４７に基づいて、情報処理装置２に対して、図１３（ｂ）に示すような画面を表示させるための所定の出力データを情報処理装置２に送信する。そして、情報処理装置２の制御部５０は、出力部５３を介して表示装置８に所定の出力データを送出し、この表示装置８に図１３（ｂ）に示すような画面を表示させる。
【００６８】
ここで、コンテンツ生成装置１のＷｅｂサーバ部３３は、認証が成功したユーザに係るユーザＩＤ（ユーザテーブル４５０のＩＤ領域４５０に記述されたユーザＩＤ）が筆頭ユーザＩＤである（すなわち特定ユーザである）場合にのみ、投稿入力ボタン７２を表示するための所定の出力データを情報処理装置２に送信し、それ以外のユーザの情報処理装置２に対しては、投稿表示ボタン７３のみを表示するための所定の出力データを情報処理装置２に送信する。これにより、特定ユーザのみが投稿入力を行うことができる。
【００６９】
ステップＳ３では、ユーザが入力指示装置７の操作部７ａを操作することで、図１３（ｂ）に表示されている投稿入力ボタン７２及び投稿表示（閲覧）ボタン７３に対してクリック等の操作入力をし、情報処理装置２の入力部５２は、入力指示装置７による操作入力を受け入れる。そして、制御部５０は、いずれのボタン７２、７３に対する操作入力であるかを判定して、この操作入力に基づく操作入力信号を出力する。出力された操作入力信号は通信部５４を介してコンテンツ生成装置１に送信される。
【００７０】
コンテンツ生成装置１のＷｅｂサーバ部３３は、情報処理装置２から操作入力信号を受け入れるのを待ち、操作入力信号を受け入れると、いずれのボタン７２、７３に対する操作入力信号であったかを判定する。そして、操作入力信号が投稿入力ボタン７２に対するものであると判定されると、プログラムはステップＳ４に移行して投稿入力処理が実行され、操作入力信号が投稿表示ボタン７３に対するものであると判定されると、プログラムはステップＳ５に移行して投稿閲覧処理が実行される。
【００７１】
ステップＳ４の投稿入力処理では、まず、コンテンツ生成装置１のＷｅｂサーバ部３３は、記憶部３１に格納されている入力画面データ４７に基づいて、情報処理装置２に対して、図１４（ａ）に示すような画面を表示させるための所定の出力データを情報処理装置２に送信する。そして、情報処理装置２の制御部５０は、出力部５３を介して表示装置８に所定の出力データを送出し、この表示装置８に図１４（ａ）に示すような画面を表示させる。
【００７２】
情報処理装置２のユーザは、入力指示装置７の操作部７ａを操作することで、図１４（ａ）に示す画面に表示されたテキスト入力部７４にテキストデータを入力し、公開範囲ラジオボタン７５のいずれかに操作入力をすることで、公開範囲設定操作入力を行う。また、情報処理装置２のユーザは、図１４（ａ）に示す画面に表示されたファイル入力部７６を用いて、入力すべきコンテンツファイルを指定する。そして、これらコンテンツデータをコンテンツ生成装置１へ送信（投稿）する指示を行う投稿ボタン７７に対してユーザが操作入力をすると、情報処理装置２の制御部５０は、入力されたコンテンツデータを通信部５４を介してコンテンツ生成装置１へ送信する。
【００７３】
コンテンツ生成装置１のＷｅｂサーバ部３３は、情報処理装置２から送信されたコンテンツデータを受け入れ、これをコンテンツ入力部３４に渡す。コンテンツ入力部３４は、受け渡されたコンテンツデータ４２を記憶部３１に格納するとともに、コンテンツデータ４２の付加情報をコンテンツテーブル４４の所定の領域に格納する。
【００７４】
一方、ステップＳ５の投稿閲覧処理では、まず、コンテンツ生成装置１の制御部３０が、現在アクセスしている（上述のステップＳ１における認証処理がされた）情報処理装置２のユーザが属するカテゴリーを、ユーザテーブル４５のカテゴリー領域４５４を参照することで確認し、次いで、このカテゴリーに分類されるコンテンツデータ４２及び追加コンテンツデータ４３を、コンテンツテーブル４４のカテゴリー領域４４１を参照することで記憶部３１から抽出する。
【００７５】
次いで、Ｗｅｂサーバ部３３は、記憶部３１に格納されている入力画面データ４７、及び抽出されたコンテンツデータ４２、追加コンテンツデータ４３に基づいて、情報処理装置２に対して、抽出されたコンテンツデータ４２の少なくとも一部が投稿表示部７８に表示され、抽出された追加コンテンツデータ４３の少なくとも一部がコメント表示部７９に表示された、図１４（ｂ）に示すような画面を表示させるための所定の出力データを情報処理装置２に送信する。そして、情報処理装置２の制御部５０は、出力部５３を介して表示装置８に所定の出力データを送出し、この表示装置８に図１４（ｂ）に示すような画面を表示させる。
【００７６】
情報処理装置２のユーザは、入力指示装置７の操作部７ａを操作することで、図１４（ｂ）に示す画面に表示されたコメント入力部８０に追加コンテンツデータを入力する。そして、この追加コンテンツデータをコンテンツ生成装置１へ送信（投稿）する指示を行う投稿ボタン８１に対してユーザが操作入力をすると、情報処理装置２の制御部５０は、入力された追加コンテンツデータを通信部５４を介してコンテンツ生成装置１へ送信する。
【００７７】
コンテンツ生成装置１のＷｅｂサーバ部３３は、情報処理装置２から送信された追加コンテンツデータを受け入れ、これを追加コンテンツ入力部３５に渡す。追加コンテンツ入力部３５は、受け渡された追加コンテンツデータ４３を記憶部３１に格納するとともに、追加コンテンツデータ４３の付加情報をコンテンツテーブル４４の所定の領域に格納する。
【００７８】
次に、図９及び図１０は、コンテンツ生成装置１の制御部３０による死亡判定の動作の概略を説明するフローチャートである。図９のフローチャートに示す動作は、死亡判定の対象となる特定のユーザの死亡が疑われる場合に起動される。あるいは、例えば数ヶ月に１回といった定期的に起動されてもよい。
【００７９】
まず、ステップＳ１０において、コンテンツ生成装置１の案内送信部３６により、死亡判定処理動作が行われる。より詳細には、案内送信部３６は、図１５（ａ）、（ｂ）に示すようなテキストデータを含むメールを、ユーザテーブル４５から抽出したユーザの連絡先領域４５３に記述されたメールアドレス宛に送信し、このユーザにより、死亡判定の対象となる特定のユーザが死亡しているか否かを問いあわせる。
【００８０】
そして、ステップＳ１１では、ステップＳ１０における死亡判定処理動作の結果、特定のユーザの死亡が判定されたか否かが判断され、特定のユーザの死亡が判定された（ステップＳ２においてＹＥＳ）場合は、プログラムはステップＳ１２に移行し、特定のユーザの死亡がまだ判定されていない（ステップＳ１１においてＮＯ）場合は、プログラムが終了する。
【００８１】
図１５（ａ）、（ｂ）に示す例では、ユーザが図１５（ｂ）に記述されたＵＲＬ８２を操作し、この操作入力をコンテンツ生成装置１のＷｅｂサーバ部３３が受け入れた結果、Ｗｅｂサーバ部３３が、不図示の死亡判定入力画面を表示させるための所定の出力データを情報処理装置２に送出し、情報処理装置２の制御部５０が、出力部５３を介して表示装置８に所定の出力データを送出し、この表示装置８に死亡判定入力画面を表示させる。そして、ユーザが、この死亡判定入力画面において特定のユーザが死亡している旨をユーザが入力することで死亡判定がされたことになる。
【００８２】
ステップＳ１０における死亡判定の具体的態様は、図１５（ａ）、（ｂ）に示すテキストデータを含むメールを送付する例に限定されず、他の態様も好適に採用可能である。一例として、ユーザテーブル４５に、特定のユーザがデータ入力をしているブログサイト、ＳＮＳ（Social Network Service）サイトのＵＲＬを記述しておき、コンテンツ生成装置１の案内送信部３６が定期的にこのブログサイト等の更新の有無を検出し、一定期間以上更新がない場合には死亡判定を行ってもよい。また、ブログサイト等が一定期間以上更新されない場合に、特定のユーザの死亡が疑われる場合であるとして図９のフローチャートに示す動作を起動させ、メールを送信してもよい。さらに、ユーザがコンテンツ生成装置１にアクセスし、特定のユーザが死亡した旨をコンテンツ生成装置１に直接入力してもよい。
【００８３】
ステップＳ１２では、案内送信部３６がユーザテーブル４５を参照して、予め定めたユーザ（以下、代表ユーザと称する）の連絡先領域４５３に記述されたメールアドレスを抽出する。そして、ステップＳ１３では、この代表ユーザのメールアドレス宛に、コンテンツ生成装置１へアクセスするためのリンク情報を含む、「偲ぶ会」の案内文を作成するために必要となる情報の入力を依頼するメールを送付する。
【００８４】
図１０のステップＳ２０において、コンテンツ生成装置１の案内送信部３６は、図９のステップＳ１３においてメール送信動作を行うと、この代表ユーザが操作する情報処理装置２からのアクセスである案内送付指示を待機する状態になる。そして、メールが送付された代表ユーザが、このメールに含まれるリンク情報の一例であるＵＲＬを操作すると、この操作入力をコンテンツ生成装置１の案内送信部３６が受け入れ、ステップＳ２０においてアクセスがあった（ステップＳ２０においてＹＥＳ）旨が判定され、プログラムはステップＳ２１へ移行する。
【００８５】
ステップＳ２１では、案内送信部３６が不図示の案内作成画面を表示させるための所定の出力データを生成し、案内送信部３６は、この出力データを情報処理装置２に送出する。そして、情報処理装置２の制御部５０が、出力部５３を介して表示装置８に所定の出力データを送出し、この表示装置８に案内作成画面を表示させる。そして、ユーザが、この案内作成画面において案内文作成のために必要となる情報の入力を行う。ユーザが入力したデータは、通信部５４を介してコンテンツ生成装置１に送信され、案内送信部３６を介して案内画面データ４６の一部として記憶部３１に格納される。ユーザが案内文入力画面において入力する情報の一例としては、図１６（ａ）に示すような案内画面（詳細は後述）において、筆頭の宛先部分を除いた下線部分の情報が挙げられる。
【００８６】
ステップＳ２２では、代表ユーザが入力指示装置７を操作することで、案内作成画面での入力を終了する旨の操作入力信号が情報処理装置２から出力され、この操作入力信号を案内送信部３６が受け入れるのを待ち、案内送信部３６が操作入力信号を受け入れると、案内作成が終了した（ステップＳ２２においてＹＥＳ）旨が判定され、プログラムはステップＳ２３に移行する。
【００８７】
ステップＳ２３では、コンテンツ生成装置１の案内送信部３６が、ユーザテーブル４５を参照して、案内文を送付すべきユーザを選定する。次いで、ステップＳ２４では、案内送信部３６が、記憶部３１に格納された案内画面データ４６を参照して、ステップＳ２３で選定されたユーザに送付すべき案内文メールに含まれるテキストデータ等を生成し、連絡先領域４５３に記述されたメールアドレス宛に案内文メールを送信する。ユーザに送付される案内文メールの一例を図１６（ａ）に示す。この案内文メールのうち、筆頭部分にある宛先８３は、ユーザテーブル４５の氏名領域４５１に記述された氏名データが記述される。また、案内文メールには、図１１のフローチャートの進行条件となる操作入力をコンテンツ生成装置１へ送信するためにこのコンテンツ生成装置１にアクセスするためのリンク情報の一例であるＵＲＬ８４が記載されている。
【００８８】
次に、図１１及び図１２は、コンテンツデータ４２、追加コンテンツデータ４３の選択指示入力及び選択体生成動作の概要を説明するフローチャートである。
【００８９】
図１１のステップＳ３０において、コンテンツ生成装置１のＷｅｂサーバ部３３は、図１０のステップＳ２３においてメール送信動作を行うと、ユーザが操作する情報処理装置２からのアクセスを待機する状態になる。そして、メールが送付されたユーザが、このメールに含まれるＵＲＬ８４を操作すると、この操作入力をコンテンツ生成装置１のＷｅｂサーバ部３３が受け入れ、ステップＳ３０においてアクセスがあった（ステップＳ３０においてＹＥＳ）旨が判定され、プログラムはステップＳ３１へ移行する。
【００９０】
ステップＳ３１では、制御部３０が、記憶部３１に格納された案内画面データ４６を参照して、案内画面を表示させるための所定の出力データを生成し、Ｗｅｂサーバ部３３は、この出力データを情報処理装置２に送出する。そして、情報処理装置２の制御部５０が、出力部５３を介して表示装置８に所定の出力データを送出し、この表示装置８に案内画面を表示させる。
【００９１】
ステップＳ３１において表示装置８に表示される案内画面の一例を図１６（ｂ）に示す。図１６（ｂ）に示す案内画面には、「偲ぶ会」への出席／欠席を入力するラジオボタン８５と、ユーザの個人情報が入力される個人情報入力部８６とが設けられている。ユーザが入力指示装置７の操作部７ａを操作することで、これらラジオボタン８５及び個人情報入力部８６への入力がされ、入力終了を示す移動ボタン８７が操作されると、入力データ及び移動ボタン８７の操作入力が情報処理装置２から出力される。
【００９２】
ステップＳ３２において、コンテンツ生成装置１のＷｅｂサーバ部３３は、情報処理装置２からのアクセスを待機する状態になる。そして、情報処理装置２から送出された移動ボタン８７の操作入力をＷｅｂサーバ部３３が受け入れると、ステップＳ３２においてアクセスがあった（ステップＳ３２においてＹＥＳ）旨が判定され、プログラムはステップＳ３３へ移行する。
【００９３】
ステップＳ３３では、制御部３０が、記憶部３１に格納された案内画面データ４６を参照して、次の案内画面を表示させるための所定の出力データを生成し、Ｗｅｂサーバ部３３は、この出力データを情報処理装置２に送出する。そして、情報処理装置２の制御部５０が、出力部５３を介して表示装置８に所定の出力データを送出し、この表示装置８に次の案内画面を表示させる。
【００９４】
ステップＳ３３において表示装置８に表示される次の案内画面の一例を図１７（ａ）に示す。図１７（ａ）に示す次の案内画面には、コンテンツデータ４２及び追加コンテンツデータ４３の入力、閲覧を行うためのＵＲＬ８８が記載されている。
【００９５】
ステップＳ３３において、コンテンツ生成装置１のＷｅｂサーバ部３３は、情報処理装置２からのアクセスを待機する状態になる。そして、図１７（ｂ）に示す次の案内画面を閲覧しているユーザが、次の案内画面に含まれるＵＲＬ８８を操作すると、この操作入力をコンテンツ生成装置１のＷｅｂサーバ部３３が受け入れ、ステップＳ３３においてアクセスがあった（ステップＳ３３においてＹＥＳ）旨が判定され、プログラムはステップＳ３４へ移行する。
【００９６】
ステップＳ３４では、コンテンツ生成装置１のコンテンツ提示部３７が、図１３（ｂ）に示すような画面を表示させるための所定の出力データを情報処理装置２に送信する。そして、情報処理装置２の制御部５０は、出力部５３を介して表示装置８に所定の出力データを送出し、この表示装置８に図１３（ｂ）に示すような画面を表示させる。
【００９７】
次に、ステップＳ３５では、ステップＳ４及びステップＳ５において既に説明したような動作により、コンテンツ提示部３７が情報処理装置２のユーザに対してコンテンツデータ４２及び追加コンテンツデータ４３を提示する。この際、コンテンツ提示部３７は、アクセスしているユーザのカテゴリーに応じて、提示するコンテンツデータ４２及び追加コンテンツデータ４３を抽出、選定する。そして、ユーザがコンテンツデータ選択体４９に含めることを希望するコンテンツデータ４２及び追加コンテンツデータ４３に対して、図１４（ｂ）に示す選択ボタン８９を操作すると、この選択入力がＷｅｂサーバ部３３を介して選択指示入力部３８が受け入れ、この選択入力の内容を選択指示テーブル４８に記述する。
【００９８】
ステップＳ３６において、コンテンツ生成装置１のＷｅｂサーバ部３３は、情報処理装置２からのアクセスを待機する状態になる。そして、情報処理装置２から送出されたコンテンツデータ４２及び追加コンテンツデータ４３の閲覧、入力動作終了の指示をＷｅｂサーバ部３３が受け入れると、ステップＳ３６においてアクセスがあった（ステップＳ３６においてＹＥＳ）旨が判定され、プログラムは図１２のステップＳ３７へ移行する。
【００９９】
ステップＳ３７では、制御部３０が、記憶部３１に格納された案内画面データ４６を参照して、さらに次の案内画面を表示させるための所定の出力データを生成し、Ｗｅｂサーバ部３３は、この出力データを情報処理装置２に送出する。そして、情報処理装置２の制御部５０が、出力部５３を介して表示装置８に所定の出力データを送出し、この表示装置８にさらに次の案内画面を表示させる。
【０１００】
ステップＳ３７において表示装置８に表示されるさらに次の案内画面の一例を図１７（ｂ）に示す。図１７（ｂ）に示すさらに次の案内画面には、遺族への寄贈品を選択するラジオボタン９０と、遺族への香典の額を選択するラジオボタン９１と、決済指示を行うための決済ボタン９２と、案内画面の終了を指示するための終了ボタン９３とが記載されている。ラジオボタン９０、９１の選択入力は、決済ボタン９２または終了ボタン９３の操作入力がされた際に同時にコンテンツ生成装置１へ送信される。
【０１０１】
コンテンツ生成装置１の金銭的価値付与部４０が付与する、コンテンツデータ選択体４９に対する金銭的価値は、ラジオボタン９０、９１の選択入力に基づく、ユーザ毎の支払金額であるこれら寄贈品への金銭的価値及び香典（金銭的価値）の総額に相当する。金銭的価値付与部４０は、このユーザ毎の支払金額を算出して図１７（ｂ）に示す案内画面に表示する。あるいは、コンテンツデータ選択体４９に対する金銭的価値は、ユーザ毎の支払金額から、コンテンツ生成装置１の運営費を控除し、さらに、実際に遺族に手渡す香典の額を控除したものである。金銭的価値付与部４０は、ユーザによる選択入力を記憶部３１に格納する。
【０１０２】
ステップＳ３８において、コンテンツ生成装置１のＷｅｂサーバ部３３は、情報処理装置２からのアクセスを待機する状態になる。そして、情報処理装置２から送出された決済ボタン９２または終了ボタン９３の操作入力をＷｅｂサーバ部３３が受け入れると、ステップＳ３８においてアクセスがあった（ステップＳ３８においてＹＥＳ）旨が判定され、プログラムはステップＳ３９へ移行する。
【０１０３】
ステップＳ３９では、Ｗｅｂサーバ部３３が決済ボタン９２の操作入力を受け入れたか否かが判定され、決済ボタン９２の操作入力を受け入れたと判定された（ステップＳ３９においてＹＥＳ）場合は、プログラムはステップＳ４０に移行し、終了ボタン９３の操作入力を受け入れたと判定された（ステップＳ３９においてＮＯ）場合は、プログラムはステップＳ４２に移行する。
【０１０４】
ステップＳ４０では、コンテンツ生成装置１の決済指示部４１が、金銭的価値付与部４０が受け入れた遺族への寄贈品に相当する金銭的価値の額と香典に相当する金銭的価値の額とを加算し、この加算額についての決済指示を決済用サーバ６に指示する。ステップＳ４１では、決済用サーバ６の決済部６３が、この加算額についての決済を実行する。
【０１０５】
ステップＳ４２では、コンテンツ生成装置１の制御部３０が、図１０のステップＳ２３において送信した案内メールに記載された入力期限（図１６（ａ）に示す例では、２０１４年１１月３０日に設定されている）が到来したか否かが判定され、入力期限が到来したと判定された（ステップＳ４２においてＹＥＳ）場合は、プログラムはステップＳ４３に移行し、まだ入力期限が到来していない（ステップＳ４２においてＮＯ）場合は、プログラムはステップＳ３０に戻る。
【０１０６】
ステップＳ４３では、コンテンツ生成装置１の選択体生成部３９が、選択指示テーブル４８を参照して、選択指示を行ったユーザ毎にどのコンテンツデータ４２及び追加コンテンツデータ４３について選択指示を行ったかの集計を行う。そして、ステップＳ４４では、ステップＳ４３での集計結果に基づいて、選択体生成部３９が、選択指示を行ったユーザ毎にコンテンツデータ選択体４９を作成する。
【０１０７】
この後、コンテンツデータ選択体４９がデータ形式で作成された場合は、コンテンツ生成装置１はユーザのメールアドレス宛にコンテンツデータ選択体４９を送信し、コンテンツデータ選択体４９が印刷体や記録媒体に格納されて作成された場合は、コンテンツ生成装置１の管理者は、このコンテンツデータ選択体４９の発送作業を行う。
【０１０８】
また、コンテンツ生成装置１の制御部３０は、ラジオボタン９０、９１の選択入力を集計し、コンテンツ生成装置１の管理者は、遺族への寄贈品の送付作業を行う。また、コンテンツ生成装置１の決済指示部４１は、香典の集計作業を行い、決済用サーバ６に対して、遺族の銀行口座へ香典の集金額の送金作業を指示する。なお、集金額は、遺族への寄贈品の購入額、コンテンツ生成装置１の運用費、及びコンテンツデータ選択体４９の制作費を差し引いた額であることが好ましい。
【０１０９】
（一実施形態のコンテンツ生成システムの効果）
以上詳細に説明したように、本実施形態のコンテンツ生成システムＳによれば、コンテンツデータ４２に対してユーザが選択指示を行ったものをまとめたコンテンツデータ選択体４９を生成することができるので、ユーザの好みに応じたコンテンツデータ選択体４９を生成することができる。これにより、故人の家族、友人等の関係者が、故人の遺言メッセージであるコンテンツデータ４２から関係者の好みに応じて選択することの可能なコンテンツ生成装置１、コンテンツ生成システムＳを実現することができる。
【０１１０】
また、本実施形態によれば、故人の友人等が、故人が作成したコンテンツデータ４２を閲覧して、このコンテンツデータ４２に関連した追加コンテンツデータ４３を生成することができ、さらに、この追加コンテンツデータ４３についても選択指示の対象としているので、コンテンツデータ選択体４９の内容をより広範囲なものとすることが可能になる。
【０１１１】
さらに、コンテンツ提示部３７がユーザのカテゴリーに応じて提示するコンテンツデータ４２及び追加コンテンツデータ４３を選定しているので、コンテンツデータ４２及び追加コンテンツデータ４３を適切に閲覧させることが可能になる。
【０１１２】
さらに、本実施形態では、コンテンツデータ選択体４９作成の対価として金銭的価値の決済を行い、この金銭的価値を遺族への寄贈品や遺族への香典に利用しているので、遺族に対する寄付のインセンティブをユーザに対して容易に与えることができるとともに、寄贈品や香典の集金作業を円滑に行うことができる。
【０１１３】
（変形例）
なお、本発明のコンテンツ生成装置１は、その細部が上述の一実施形態に限定されず、種々の変形例が可能である。一例として、図１３〜図１７に示す画面はあくまでも一例であり、これら図に示す画面には限定されない。
【０１１４】
そして、上述の実施形態において、コンテンツ生成装置１及び情報処理装置２を動作させるプログラムはＲＯＭ１１、２１等に格納されて提供されていたが、不図示の光学ディスクドライブ、等を用いて、プログラムが格納されたＤＶＤ（Digital Versatile Disc）等の記録媒体、ＵＳＢ外部記憶装置、メモリーカード等を接続し、このＤＶＤ等からプログラムをコンテンツ生成装置１、情報処理装置２に読み込んで動作させてもよい。また、インターネット３上のサーバ装置内にプログラムを格納しておき、このプログラムを情報処理装置２に読み込んで動作させてもよい。さらに、上述の実施形態において、コンテンツ生成装置１、情報処理装置２は複数のハードウェア要素により構成されていたが、これらハードウェア要素の一部の動作をＣＰＵ１０、２０がプログラムの動作により実現することも可能である。
【符号の説明】
【０１１５】
Ｓ    コンテンツ生成システム
１    コンテンツ生成装置
２    情報処理装置
３    インターネット
６    決済用サーバ
１０、２０  ＣＰＵ
１１、２１  ＲＯＭ
１２、２２  ＲＡＭ
１３  ＨＤＤ部
１４、２６  有線ＬＡＮインタフェース
２３  内部ストレージ部
２４  入力インタフェース
２５  表示出力インタフェース
３０、５０、６０  制御部
３１、５１、６１  記憶部
３２、５４、６２  通信部
３３  Ｗｅｂサーバ部
３４  コンテンツ入力部
３５  追加コンテンツ入力部
３６  案内送信部
３７  コンテンツ提示部
３８  選択指示入力部
３９  選択体生成部
４０  金銭的価値付与部
４１  決済指示部
４２  コンテンツデータ
４２  追加コンテンツデータ
４５  ユーザテーブル
４９  コンテンツデータ選択体
５２  入力部
５３  出力部
６３  決済部
【図１】
2016128964.tif 000003
【図２】
2016128964.tif 000004
【図３】
2016128964.tif 000005
【図４】
2016128964.tif 000006
【図５】
2016128964.tif 000007
【図６】
2016128964.tif 000008
【図７】
2016128964.tif 000009
【図８】
2016128964.tif 000010
【図９】
2016128964.tif 000011
【図１０】
2016128964.tif 000012
【図１１】
2016128964.tif 000013
【図１２】
2016128964.tif 000014
【図１３】
2016128964.tif 000015
【図１４】
2016128964.tif 000016
【図１５】
2016128964.tif 000017
【図１６】
2016128964.tif 000018
【図１７】
2016128964.tif 000019